(57)【要約】【課題】実際よりも部屋が広くなったような視覚的効果を生じる畳の敷設構造を提供することを目的とする。【解決手段】部屋の床に敷設される中央畳と、中央畳の縁に対して隙間なく接するように敷設される複数枚の第１周辺畳とからなる畳の敷設構造であって、畳の敷設構造は隣接する複数枚の第１周辺畳を互いに隙間なく敷設することによって形成される複数条の接合線を備えており、複数条の接合線は、平面視において、中央畳の縁から第１周辺畳の角に至るまで放射状に延びるものである畳の敷設構造である。【選択図】図１
2017201122.tif 000002
【特許請求の範囲】
【請求項１】
部屋の床に敷設される中央畳と、中央畳の縁に対して隙間なく接するように敷設される複数枚の第１周辺畳とからなる畳の敷設構造であって、
畳の敷設構造は隣接する複数枚の第１周辺畳を互いに隙間なく敷設することによって形成される複数条の接合線を備えており、
複数条の接合線は、平面視において、中央畳の縁から第１周辺畳の角に至るまで放射状に延びるものである畳の敷設構造。
【請求項２】
複数条の接合線は、中央畳の中央部を中心として第１周辺畳の角に至るまで放射状に延びるものである請求項１に記載の畳の敷設構造。
【請求項３】
中央畳の形状は平面視において矩形であり、４条の接合線が平面視において中央畳の縁から第１周辺畳の４つ角に至るまで放射状に延びるものである請求項１又は２に記載の畳の敷設構造。
【請求項４】
個々の第１周辺畳の形状は平面視において台形状であり、台形状の第１周辺畳の上底の長さと中央畳の一辺とは同じ長さであり、隣り合う台形状の第１周辺畳の脚の長さは同じである請求項３に記載の畳の敷設構造。
【請求項５】
中央畳及び第１周辺畳のうち少なくともいずれか一方に、中央畳と第１周辺畳との接合線に沿って連続する閉じた畳縁を備えるものである請求項１ないし４のいずれかに記載の畳の敷設構造。
【請求項６】
複数枚の第１周辺畳の外縁部分に対して隙間なく接する複数枚の第２周辺畳をさらに備えており、隣接する複数枚の第２周辺畳を互いに隙間なく敷設することによって形成される複数条の接合線を備えており、第２周辺畳の接合線と第１周辺畳の接合線は連続する線条を構成し、第１周辺畳の接合線と第２周辺畳の接合線は平面視において中央畳の縁から第２周辺畳の角に至るまで放射状に延びる請求項１ないし５のいずれかに記載の畳の敷設構造。
【請求項７】
個々の第２周辺畳の形状は平面視において台形状であり、台形状の第２周辺畳の上底の長さと第１周辺畳の下底とは同じ長さであり、隣り合う台形状の第２周辺畳の脚の長さは同じである請求項６に記載の畳の敷設構造。
【請求項８】
第１周辺畳又は第２周辺畳は、長手方向の長さが１間以下となるように複数枚に分割されたものである請求項１ないし７のいずれかに記載の畳の敷設構造。
【請求項９】
畳の敷設構造は、左右方向に対して対称な形状である請求項１ないし８のいずれかに記載の畳の敷設構造。
【請求項１０】
畳の敷設構造は、上下方向に対して対称な形状である請求項１ないし９のいずれかに記載の畳の敷設構造。
【発明の詳細な説明】
【技術分野】
【０００１】
本発明は、複数枚の畳を家屋の床に敷設して構成した畳の敷設構造に関する。
【背景技術】
【０００２】
畳の敷設方法には、祝儀敷きと不祝儀敷きとがある。部屋の広さに合せて、畳の枚数を変更して、部屋の床に畳を敷設する。畳の寸法としては、半間（９１０ｍｍ）×１間（１８２０ｍｍ）のものが一般的であり、縦横比は２：１である。
【０００３】
上記のような長方形の畳を６畳間、８畳間、１０畳間などの部屋に敷設しようとした場合、個々の畳を敷き詰めてなる畳全体の形状は多くの場合、長方形とならざるを得ないし、敷設のパターンも限られてくる。
【０００４】
ところで、特許文献１から特許文献３には、伝統的な敷設方法とは異なる畳の敷き方が示されている。特許文献１には、部屋の中央部の床に敷設される正方形の畳とこの畳を取り囲むように４枚の長方形の畳を渦状に敷設する方法が記載されている。特許文献２の図１にも同様に長方形の畳を渦状に敷設する方法が記載されている。また、特許文献３には、部屋の中央部の床に敷設される畳とこの畳を取り囲むように４枚の異形の畳を渦状に敷設する方法が記載されている。
【０００５】
特許文献４の図６Ｂには、カタカナの「ロ」の文字状に複数枚の畳を敷設する方法が記載されている。この敷設方法では、部屋の中央部には畳は敷設されない。また、この文献の図６Ｉには、漢字の「田」の文字状に複数枚の畳を敷設する方法が記載されている。部屋の中央部には十文字状に複数枚の畳が敷設される。
【先行技術文献】
【特許文献】
【０００６】
【特許文献１】実開昭６３−１７２２６号公報
【特許文献２】特開２００１−５９３３４号公報
【特許文献３】実開平２−１２１５３６号公報
【特許文献４】特開昭５３−４９８３７号公報
【発明の概要】
【発明が解決しようとする課題】
【０００７】
特許文献１ないし３の畳の敷設方法では、部屋の中央部に向かって渦を巻くように複数枚の畳が敷設される。このため、部屋の中に中央部に人が居ると、その者に向かって渦が巻き込むような錯覚を生じさせる。これによって、実際よりも部屋が狭くなったような視覚的効果を引き起こす。
【０００８】
特許文献４の畳の敷設方法では、部屋の中央部に畳が敷かれていなかったり、十文字状に畳が敷かれているために、複数の畳の間に隙間が存在する。このため、このように畳を敷設した部屋の用途は著しく制限されてしまう。
【０００９】
本発明は、実際よりも部屋や畳が広くなったような視覚的効果を生じる畳の敷設構造を提供することを目的とする。
【課題を解決するための手段】
【００１０】
部屋の床に敷設される中央畳と、中央畳の縁に対して隙間なく接するように敷設される複数枚の第１周辺畳とからなる畳の敷設構造であって、畳の敷設構造は隣接する複数枚の第１周辺畳を互いに隙間なく敷設することによって形成される複数条の接合線を備えており、複数条の接合線は、平面視において、中央畳の縁から第１周辺畳の角に至るまで放射状に延びるものである畳の敷設構造によって、上記の課題を解決する。
【００１１】
上記の畳の敷設構造では、中央畳の縁から第１周辺畳の角に至るまで複数条の接合線が放射状に延びるため、畳の上又は部屋の中に居る者に、実際よりも畳又は部屋が広くなったように錯覚させる視覚的効果を生じる。
【００１２】
上記の畳の敷設構造において、複数条の接合線は、中央畳の中央部を中心として第１周辺畳の角に至るまで放射状に延びるものとすることが好ましい。これにより、畳の上又は部屋の中にいる者に、畳又は部屋がより広くなったように錯覚させる視覚的効果を生じさせることができる。
【００１３】
上記の畳の敷設構造において、中央畳の形状は平面視において矩形であり、４条の接合線が平面視において中央畳の縁から第１周辺畳の４つ角に至るまで放射状に延びる構成とすることが好ましい。多くの部屋の形状又は畳の形状は矩形であるところ、中央畳の形状も矩形とし、矩形の中央畳から接合線が部屋又は第１周辺畳の４つ角に延びる構成とすることで、畳又は部屋が広くなったように錯覚させる視覚的効果をより高めることが可能になる。
【００１４】
上記の畳の敷設構造において、個々の第１周辺畳の形状は平面視において台形状であり、台形状の第１周辺畳の上底の長さと中央畳の一辺とは同じ長さであり、隣り合う台形状の第１周辺畳の脚の長さは同じであることが好ましい。これによって、部屋が広くなったように錯覚させる効果をより高めることが可能になる。
【００１５】
中央畳及び第１周辺畳のうち少なくともいずれか一方に、中央畳と第１周辺畳との接合線に沿って連続する閉じた畳縁を配することが好ましい。連続する閉じた畳縁とは、畳縁の一端と他端とが連続する状態のことを示す。例えば、中央畳の平面視が、円形であれば畳縁は平面視において環状となり、矩形であれば畳縁は平面視において矩形となる。これによって、部屋の中に居る者に額縁によって区画された空間にいるようなリラックス効果を与えることができる。
【００１６】
複数枚の第１周辺畳の外縁部分に対して隙間なく接する複数枚の第２周辺畳をさらに備えており、第２周辺畳は隣接する複数枚の第２周辺畳を互いに隙間なく敷設することによって形成される複数条の接合線を備えており、第２周辺畳の接合線と第１周辺畳の接合線は連続する線条を構成し、第１周辺畳の接合線と第２周辺畳の接合線は平面視において中央畳の縁から第２周辺畳の角に至るまで放射状に延びるようにすることが好ましい。これによって、中央畳及び第１周辺畳の寸法を変えずに第１周辺畳の外周部分に第２周辺畳を付加することで、より大きな部屋に中央畳から第２周辺畳の角に至るまで接合線が放射状に延びる畳の敷設構造を構築することができる。
【００１７】
個々の第２周辺畳の形状は平面視において台形状であり、台形状の第２周辺畳の上底の長さと第１周辺畳の下底とは同じ長さであり、隣り合う台形状の第２周辺畳の脚の長さは同じであることが好ましい。これによって、部屋又は畳が広くなったように錯覚させる視覚的効果をより高めることが可能になる。
【００１８】
第１周辺畳又は第２周辺畳は、長手方向の長さが１間以下となるように複数枚に分割されたものであることが好ましい。畳の長手方向の長さを１間以下に収めることによって、特別な設備を用いなくても、第１周辺畳又は第２周辺畳を加工することが可能になる。
【００１９】
畳の敷設構造は、左右方向に対して対称な形状とすることが好ましい。また、畳の敷設構造は、上下方向に対して対称な形状とすることが好ましい。祝儀敷きや不祝儀敷きといった日本の伝統的な畳の敷設方法では、長方形の畳を使用することから、畳全体の形状が左右方向又は上下方向に対して非対称とならざるを得なかった。左右方向及び/又は上下方向に対して対称な形状とすることで、洋式の家具にもよく馴染む畳の間を提供することが可能になる。
【発明の効果】
【００２０】
本発明によれば、実際よりも部屋が広くなったような視覚的効果を生じる畳の敷設構造を提供することができる。
【図面の簡単な説明】
【００２１】
【図１】畳の敷設構造の一実施例を示す平面図である。
【図２】図１の畳の敷設構造を構成する第１周辺畳を１枚分離して示した平面図である。
【図３】従来から広く知られている祝儀敷きと呼ばれる畳の敷設構造を示す平面図である。
【図４】従来から広く知られている不祝儀敷きと呼ばれる畳の敷設構造を示す平面図である。
【図５】図１の畳の敷設構造の変形例を示す平面図である。
【図６】畳の敷設構造の他の実施例を示す平面図である。
【図７】図６の畳の敷設構造を構成する第２周辺畳を１枚分離して示した平面図である。
【図８】図６の畳の敷設構造の変形例を示す平面図である。
【図９】図６の畳の敷設構造の変形例を示す平面図である。
【図１０】図１の畳の敷設構造の変形例を示す平面図である。
【図１１】図１の畳の敷設構造において接合線の延長線が交差する点を示す平面図である。
【発明を実施するための形態】
【００２２】
図面を参照して、本発明を実施するための形態について実施例を挙げて説明する。
【００２３】
[４．５畳間用の畳の敷設構造]
図１に本発明の畳の敷設構造の一実施例を示す。この畳の敷設構造１は、正方形状の框１１を有する４．５畳間の部屋に使用する畳の敷設構造であり、部屋の中央部に敷設する平面視において矩形の中央畳１２と、複数枚の第１周辺畳１３とから構成される。
【００２４】
本実施例の中央畳１２は、平面視において正方形状の畳であり、寸法は半間×半間（９１０ｍｍ×９１０ｍｍ）の縁無しの畳である。本実施例では、中央畳１２として、畳床に天然藺草を使用して織目幅１４ｍｍで織成した畳表を張った厚さ５５ｍｍの畳を使用した。中央畳１２の構成はこれに限定されず、例えば、薄畳など、畳の厚さを変更してもよいし、畳縁を縫着してもよい。同様に中央畳の形状も正方形状に限定されず、例えば、平面視円形、平面視矩形とすることができる。また、畳表の素材として、人工藺草、花茣蓙、又は人工皮革などを使用してもよいし、畳表の織幅を変更してもよい。
【００２５】
本実施例の第１周辺畳１３は、図２に示したように、平面視において台形状の畳であり、寸法は台形の上底１３１が中央畳１２の一辺と同じ長さの半間である。台形の下底１３２は、１．５間（２７３０ｍｍ）である。そして、上底１３１には幅３０ｍｍ程度の茶色の畳縁１３３が縫着されており、下底１３２には幅３０ｍｍ程度の茶色の畳縁１３４が縫着されている。第１周辺畳１３に畳縁１３３を設ける位置は特に限定されず、例えば、上底１３１及び下底１３２のうち少なくともいずれか一方に畳縁１３３を設けれてもよいし、畳縁１３３を省略してもよい。本実施例では、第１周辺畳１３として、畳床に天然藺草を使用して織目幅７ｍｍで織成した畳表を張った厚さ５５ｍｍの畳を計４枚使用した。第１周辺畳１３の構成はこれに限定されず、例えば、畳の厚さを変更してもよいし、畳表の素材として人工藺草、花茣蓙、又は人工皮革などを使用してもよいし、畳表の織目幅を変更してもよいし、畳縁１３３を設ける場合は畳縁１３３の幅を変更してもよい。
【００２６】
畳縁１３３及び畳縁１３４の色彩は特に限定されないが、茶色やベージュなどの暖色系の色彩とすることが好ましい。暖色系の色彩は膨張色であるため、畳縁の色彩を暖色系の色彩とすることで、実際よりも部屋又は畳の大きさが広くなったように感じさせる視覚的効果をより高めることができる。
【００２７】
上記の中央畳１２と第１周辺畳１３とは、次のようにして敷設する。すなわち、部屋の框１１に対して第１周辺畳１３の下底１３２が一致した状態で接するように１枚目の第１周辺畳１３を敷設する。次に１枚目の第１周辺畳１３の脚１３４（斜辺）に対して、２枚目の第１周辺畳１３の脚１３４が隙間なく接するようにして、２枚目の第１周辺畳１３を敷設する。同様の方法で３枚目及び４枚目の第１周辺畳１３を隙間なく敷設して、最後に４枚の第１周辺畳１３の上底１３１と中央畳１２の各辺が接するように中央畳１２を隙間なく敷設する。２枚目の第１周辺畳１３の敷設を終えた後に中央畳１２を敷設して、その後、３枚目及び４枚目の第１周辺畳１３を敷設するように手順を変更してもよい。１枚目から４枚目の第１周辺畳１３の形状は、部屋の歪みに応じて畳の形状を調整している点を除けば同じものである。したがって、上底１３１、下底１３２、及び左右の脚１３４の長さが各第１周辺畳１３において同じである。なお、部屋によっては、部屋の４隅に柱が設けられることがある。このような場合は、各第１周辺畳１３が柱に接する箇所を柱の形状に沿って切り欠けばよい。
【００２８】
隣接する第１周辺畳１３の脚同士を隙間なく詰めて敷設することで中央畳１２の縁から第１周辺畳１３の角すなわち、部屋の角１５に至るまで放射状に延びる複数条の接合線１４が形成される。本実施例では、図１から明らかなように、接合線１４の上には畳縁を設けていない。これによって、部屋又は畳が実際よりもより広くなったように感じる視覚的効果をより高めることができる。本実施例では、中央畳１２の各辺の長さと、台形状の第１周辺畳１３の上底１３１の長さとが一致した状態で、中央畳１２と第１周辺畳１３とを敷設しているため、中央畳１２の４つの角１２１から部屋の４つ角１５（第１周辺畳１３の４つ角）に至るまで放射状に延びる４条の接合線１４が形成される。例えば、中央畳１２の位置に人が居ると、自分から第１周辺畳１３の角（部屋の角１５）に向かって放射状に延びる複数条の接合線１４がその者の目に入る。そうすると、その者には、実際の畳の大きさよりも畳が大きく見える錯覚が生じる。また、その者には、実際の部屋の間取りよりも部屋が大きく見える錯覚が生じる。このような錯覚を利用した視覚的効果によって、例えば、４.５畳のような狭い部屋や畳であってもその者は圧迫感を感じることなく部屋を利用することができる。
【００２９】
本実施例では、図２に示したように、第１周辺畳１３の上底１３１に沿って連続した閉じた畳縁１３３を設けている。中央畳１２の一辺と第１周辺畳１３の上底１３１とが接し、隣接する第１周辺畳１３の脚同士が接するように、１枚の中央畳１２と４枚の第１周辺畳１３とを敷設すると、図１に示したように、中央畳１２と第１周辺畳１３との接合線１６に沿って連続する閉じた畳縁１３３が形成される。例えば、中央畳１２の位置に人が居ると、畳縁１３３に囲まれることであたかも額縁の中に居るように見える視覚的効果が得られる。これによって、その部屋を利用する者にリラックス効果を与えることができる。さらに、本実施例では、第１周辺畳１３の外縁部分にも畳縁１３４を設けて、当該畳縁１３４を連続する閉じた畳縁としている。これによって、第１周辺畳１３の上に居る者に対しても額縁に縁どられた絵画の中に居るような心理効果をに与えることができる。さらに、本実施例では、後述するように、第１周辺畳１３の畳表に中央畳１２とは異なる幅の織目を設けている。そして、接合線１６に沿って複数条の第１周辺畳１３の織目が形成される。これによって、上記の額縁による心理効果をより高めることができる。
【００３０】
また、連続した閉じた畳縁１３３の効果として、人を中央畳１２の中に導く効果がある。例えば、駐車場に白線が引かれていると駐車場の利用者は白線に沿って自動車を停めようとする心理的な効果が生じる。これと同じように、部屋に区画された領域があると、人を自然とその区画の中に導びくことができる。これによって、部屋を利用する者を閉じた畳縁１３３の中に導いて、中央畳１２から放射状に延びる接合線１４を視認させることができる。すなわち、連続した閉じた畳縁１３３によって人を中央畳１２に誘導して、部屋の利用者に部屋や畳が広くなったように感じさせることができる。本実施例では、畳縁を第１周辺畳の上底１３１及び下底１３２に設けたが、畳縁は、中央畳１２の外縁部、及び第１周辺畳１３の上底１３１のうち少なくともいずれか一方に設けることが好ましい。
【００３１】
図１に示した畳の敷設構造１は、平面視において、左右方向に対して対称な形状であり、かつ上下方向に対しても対称な形状であり、平面視において正方形である。一般的に日本の建築設計は左右非対称であるとされている。例えば、伝統的な畳縁９１を備える畳９の敷設方法である祝儀敷きや不祝儀敷きの場合、図２及び図３に示したように、いずれも左右非対称であり、平面視において長方形の框９２に収まるように複数枚の畳が敷設される。一方で、西洋の建築設計は左右対称なものが多いとされている。図１に示した畳の敷設構造１は対称な構造を有するため、畳でありながらも、西洋的な家具などとよく調和する。したがって、和室はもちろん、洋室の床材としても好適に使用することができる。
【００３２】
本実施例の畳の敷設構造１では、上述の通り、第１周辺畳１３の畳表の織目幅に対して中央畳１２の畳表の織目幅を大きくしている。このようにすることで、部屋の利用者が中央畳１２に居る際に、遠近法によって第１周辺畳１３がより遠くにあるように感じるため、畳の敷設構造１の外側に視線が移るにつれて部屋や畳がより広く見えるような膨張感を生じさせることができる。
【００３３】
図１の実施例では、第１周辺畳１３の下底１３２の長さが１．５間となるようにした。これを、図５に示したように、第１周辺畳１３ａの下底１３２ａの長さが１間以下となるように、第１周辺畳を複数に分割して、２枚の同じ第１周辺畳１３ａと第１周辺畳１３ｂとから構成してもよい。図５に示した畳の敷設構造２では、図１に示した第１周辺畳１３を上底１３１と下底１３２の中ほどでその長手方向に対して２分割した構成である。１間を越えると特殊な製造設備が必要になり加工コストが上昇するが、下底の長さを１間以下とすることで、既存の畳の製造設備を使用して第１周辺畳を製造することが可能になる。これによって、製造コストを低減することが可能になる。
【００３４】
［接合線］
図１１に示したように、複数枚の第１周辺畳１３を互いに隙間なく敷設することによって形成される複数条の接合線１４は、平面視において、中央畳１２の縁から第１周辺畳１３の角、すなわち部屋の角１５に至るまで延びる。また、各接合線１４から延長した延長線４は、中央畳１２の中心部で交差する。すなわち、各接合線１４は中央畳の中心部を中心として第１周辺畳１３の角（部屋の角１５）に放射状に延びる。このため、人が本実施例の畳の敷設構造１の中央畳１２の中心部に位置するとその者からは自分を中心にして畳の隅又は部屋の隅に放射状に接合線が延びている様子が視認される。これによって、実際の部屋や畳の広さよりも部屋又は畳が広くなったように感じさせる視覚的効果をより高めることが可能になる。以下に示す図５に係る畳の敷設構造１、図６ないし図９に示す畳の敷設構造２、図１０に示す畳の敷設構造３においても同様の効果が得られる。なお、延長線４は実際の線ではないので図１１では破線で示した。
【００３５】
[６畳間用の畳の敷設構造]
図１及び図５に示した実施例は、４．５畳用の畳の敷設構造１である。図５の畳の敷設構造１をそのまま利用し、図６に示したように、第１周辺畳１３の外縁部分に対して隙間なく接する複数枚の第２周辺畳１７を追加することで、例えば、６畳間にも中央畳１２の縁から第２周辺畳１７の角、すなわち部屋の角１５に至るまで放射状に延びる接合線を形成した畳の敷設構造２を構築することができる。第２周辺畳１７は、下底１７１に畳縁１７３を備える。畳縁１７３は、畳縁１３３や畳縁１３４と同様に、第２周辺畳１７を隙間なく敷設した状態で、連続する閉じた畳縁を構成し、畳縁１３３や畳縁１３４と同様の視覚的効果を生じる。
【００３６】
第２周辺畳１７は、図７に示したように、平面視台形の置き畳であり、第１周辺畳１３に比較してより長い上底１７１及び下底１７２を備える。より具体的には、第２周辺畳１７の上底１７１の長さは、図５に示した第１周辺畳１３の下底１３２の長さと同じである。第２周辺畳１７の下底１７２の長さは、部屋の框の１辺の長さと同じ約１．７間（約１７５０ｍｍ）である。本実施例では、第２周辺畳１７の厚みや畳表の構成は、第１周辺畳１３と同じとしている。
【００３７】
第２周辺畳１７の脚１７４の傾斜角度は、図５に示した第１周辺畳１３の脚１３４の傾斜角度と同じである。このため、第２周辺畳１７を第１周辺畳１３に対して隙間なく敷設して、隣接する第２周辺畳１７を互いに隙間なく敷設することによって、第２周辺畳１７の接合線１８と第１周辺畳１３の接合線１４とは連続する線条を構成する。第１周辺畳１３の接合線１４と第２周辺畳１７の接合線１８は平面視において中央畳１２の縁から第２周辺畳１７の角、すなわち部屋の角１５に至るまで放射状に延びる線条を構成する。これによって、図５の畳の敷設構造１と同様に、実際の部屋の大きさ又は畳の大きさよりも部屋又は畳が大きくなったように感じさせる視覚的効果を生じる。
【００３８】
図６に示した第２周辺畳１７では、第２周辺畳１７の下底１７２の長さが約１．７間となるようにした。これを、図８に示したように、第２周辺畳１７の下底１７２の長さが１間以下となるように、第２周辺畳１７を複数に分割してもよい。図８に示した畳の敷設構造２では、図６に示した第２周辺畳１７を上底１７１と下底１７２の中ほどで２分割した構成であり、２枚の同じ第２周辺畳１７ａと第２周辺畳１７ｂとから１枚の第２周辺畳１７を構成している。下底１７２の長さを１間以下とすることで、既存の畳の製造設備を使用して第２周辺畳を製造することが可能になる。
【００３９】
図６及び図８の畳の敷設構造では、複数に分割された第１周辺畳１３ａ、１３ｂを組み合わせて第１周辺畳１３を構成した。しかし、図９に示したように、図１の実施例と同様の分割型ではない第１周辺畳１３を複数枚使用してもよい。
【００４０】
図６、図８及び図９に示した畳の敷設構造２は、正方形の６畳間用の敷設構造であるが、部屋の大きさに合わせて第２周辺畳１７の上底１７１と下底１７２との距離（高さ）を変更することで下底の１７２の長さを自由に変更することができる。これによって、中央畳１２及び第１周辺畳１３は同じものを使用して、第２周辺畳１７の下底１７２の長さを変更することで、例えば、８畳間や１０畳間にも中央畳の縁から第２周辺畳１７の角、すなわち部屋の角１５に至るまで放射状に延びる接合線を備える畳の敷設構造を構築することが可能になる。また、これとは別の構成として、図６又は図８等に示した中央畳２の平面視の面積を小さくして、そのかわりに第１周辺畳１３又は第２周辺畳１７の面積を大きくすることも可能である。このような構成とすることにより、部屋や畳を実際よりもより広く見せる視覚的効果をより高めることが可能になる。
【００４１】
図６、図８、及び図９の実施例と同様に、本実施例の畳の敷設構造１に第２周辺畳を追加することで、例えば、長方形状の８畳間、１０畳間、１２．５畳間等にも中央畳の縁から第２周辺畳の角、すなわち部屋の角に至るまで放射状に延びる接合線を備える畳の敷設構造を構築することができる。さらに、図示しない第３周辺畳を第２周辺畳に追加すれば、例えば、１８畳間に中央畳の縁から第３周辺畳の角、すなわち部屋の角に至るまで放射状に延びる接合線を備える畳の敷設構造を構築することができる。
【００４２】
例えば、部屋が長方形状又は正方形状であっても、中央畳と台形状の周辺畳を組み合わせることで、種々の広さの部屋の床に中央畳の縁から部屋の角に至るまで放射状に延びる接合線を備える畳の敷設構造を構築することができる。上記の実施例において使用した中央畳、第１周辺畳、及び第２周辺畳の形状は、従来の１：２のアスペクト比にとらわれない。このため、従来の６畳、８畳といった畳数を基準とした部屋の広さの設計に拘束されず、メートル法を基準とした部屋の広さの設計に柔軟に対応することができる。
【００４３】
［長方形状の畳の敷設構造］
図１０に示したように、中央畳３２を平面視において長方形状の畳とし、この中央畳３２の周囲に第１周辺畳３３を隙間なく敷設する構造を備える畳の敷設構造３としてもよい。この畳の敷設構造では、中央畳として、半間×１間の寸法を有する畳を使用している。それぞれの第１周辺畳３３は、上述の畳の敷設構造１と同様に台形状である。ただし、第１周辺畳３３は、上述の第１周辺畳１３とは寸法が異なる。その他の点では、第１周辺畳３３は、第１周辺畳１３と同様の構成である。
【００４４】
この畳の敷設構造３は、中央畳の縁から第１周辺畳の角３３、すなわち部屋の角１５に至るまで放射状に延びている。このため、図５の畳の敷設構造１と同様に、実際の部屋の大きさよりも部屋や畳が大きくなったように感じさせる視覚的効果を生じる。この畳の敷設構造３は、長方形状であるため、長方形の部屋に敷設するのに適している。上記の実施形態と同様に、第２周辺畳を追加してもよいし、第１周辺畳を分割型にしてもよい。
【００４５】
上記の畳の敷設構造１、２、３は、例えば、框の内側に中央畳、第１周辺畳、第２周辺畳を敷設することにより、部屋の床面全体を構成するものとしてもよいし、例えば、置き畳型の中央畳、第１周辺畳、第２周辺畳を部屋の床面に敷設することにより、部屋の床面の一角を置き畳で覆う構成としてもよい。これらの構成はいずれも、畳又は部屋が実際の大きさよりも広くなったように感じさせる視覚的効果を発揮する。
【符号の説明】
【００４６】
１２    中央畳
３２    中央畳
１３    第１周辺畳
３３    第１周辺畳
１      畳の敷設構造
２      畳の敷設構造
３      畳の敷設構造
１４    接合線
１７    第２周辺畳
【図１】
2017201122.tif 000003
【図２】
2017201122.tif 000004
【図３】
2017201122.tif 000005
【図４】
2017201122.tif 000006
【図５】
2017201122.tif 000007
【図６】
2017201122.tif 000008
【図７】
2017201122.tif 000009
【図８】
2017201122.tif 000010
【図９】
2017201122.tif 000011
【図１０】
2017201122.tif 000012
【図１１】
2017201122.tif 000013